(57)【特許請求の範囲】
【請求項１】
箱状のシャーシの一側面にパネルを組み付ける構造で、前記シャーシの一側面に対して前記パネルを位置決めするパネル位置決め構造において、
前記シャーシの一側面に直交する側面を延設してなる第１の延設部と、
前記シャーシの一側面に直交し、前記第１の延設部を設けた側面に対向する側面を延設してなる第２の延設部と、
前記パネルに設けられ、前記第１の延設部を当該第１の延設部の厚み方向に挟み込んで位置決めする第１の位置決め部と、
前記パネルに設けられ、前記第１の延設部を当該第１の延設部の厚み方向に垂直な方向に挟み込んで位置決めする第２の位置決め部と、
前記パネルに設けられ、前記第２の延設部を当該第２の延設部の厚み方向に垂直な方向に挟み込んで位置決めする第３の位置決め部とを備えることを特徴とするパネル位置決め構造。
【請求項２】
前記パネルに設けられ、前記第２の延設部を当該パネルにねじ止めするねじを挿通する挿通孔が形成された取り付け部材と、
前記取り付け部材に形成され、前記挿通孔を挿通させたねじによるねじ止めで当該取り付け部材を撓ませるスリットとを備えることを特徴とする請求項１記載のパネル位置決め構造。
【請求項３】
請求項１記載のパネル位置決め構造を備える電子機器。
【発明の詳細な説明】
【技術分野】
【０００１】
この発明は、パネルをシャーシに組み付ける構造におけるパネル位置決め構造、およびこの構造を備える電子機器に関する。
【背景技術】
【０００２】
パネルをシャーシに組み付ける構造において、パネルの裏面に配置されたパネル基板とシャーシに配置されたメイン基板を、基板間接続用コネクタで接続する場合がある。この場合、パネルをシャーシに組み付けた際に、コネクタを介してパネル基板とメイン基板とが確実に接続される位置決め精度が要求される。
なお、例えば特許文献１には、キャビネット（パネル）のシャーシへの取り付け構造が開示されている。この構造は、キャビネットの左右両側に設けた延出部をシャーシの両側面に設けた係合凸部に嵌合させることによってキャビネットをシャーシへ取り付ける。
【先行技術文献】
【特許文献】
【０００３】
【特許文献１】特開２００２−３２４９８２号公報
【発明の概要】
【発明が解決しようとする課題】
【０００４】
従来のパネル組み付け構造は、パネルが嵌め込まれたフロントシャーシをシャーシ本体の前面に組み付けていた。この構造では、フロントシャーシの外形とパネルの内形で位置決めされるが、製造上の寸法ばらつきを考慮すると、フロントシャーシとパネルとの間にクリアランスを設定する必要がある。このため、パネル内でフロントシャーシとシャーシ本体がクリアランスの分だけ動いてしまい、位置決めの精度が低いという課題があった。【０００５】
特に、シャーシにパネルを組み付ける構造体では、パネル内に設けたパネル基板とシャーシ内に設けた基板とを基板間接続コネクタで固定することが多い。
基板間接続コネクタは、基板上に実装されるコネクタであるので、確実に基板間を接続するためには、シャーシとパネルの組み付けに高い位置決め精度が要求される。【０００６】
また、一般的に金属で作成されるフロントシャーシと樹脂で作成されるパネルとでは、熱膨張または熱収縮による差が大きいため、フロントシャーシをパネルに嵌め込む位置決めピッチが長い構造体では、位置決め精度の向上に限界があり、また熱膨張または熱収縮の影響で破損する可能性もある。【０００７】
この発明は、上記のような課題を解決するためになされたもので、簡易な構成でパネルの位置決め精度の向上を図ることができるパネル位置決め構造、およびこの構造を備える電子機器を得ることを目的とする。
【課題を解決するための手段】
【０００８】
この発明に係るパネル位置決め構造は、箱状のシャーシの一側面にパネルを組み付ける構造で、シャーシの一側面に対してパネルを位置決めするパネル位置決め構造において、シャーシの一側面に直交する側面を延設してなる第１の延設部と、シャーシの一側面に直交し、第１の延設部を設けた側面に対向する側面を延設してなる第２の延設部と、パネルに設けられ、第１の延設部を当該第１の延設部の厚み方向に挟み込んで位置決めする第１の位置決め部と、パネルに設けられ、第１の延設部を当該第１の延設部の厚み方向に垂直な方向に挟み込んで位置決めする第２の位置決め部と、パネルに設けられ、第２の延設部を当該第２の延設部の厚み方向に垂直な方向に挟み込んで位置決めする第３の位置決め部とを備える。
【発明の効果】
【０００９】
この発明によれば、簡易な構成でパネルの位置決め精度の向上を図ることができるという効果がある。
【図面の簡単な説明】
【００１０】
【図１】この発明に係るパネル位置決め構造を備える電子機器を示す斜視図である。
【図２】従来の電子機器の分解斜視図である。
【図３】従来の電子機器のパネル位置決め構造を示す図である。
【図４】実施の形態１に係るパネル位置決め構造を備える電子機器の構成を示す図である。
【図５】実施の形態１に係るパネル位置決め構造（延設部６ａ、位置決め部６ｂ）を示す部分拡大図である。
【図６】実施の形態１に係るパネル位置決め構造（延設部７ａ、位置決め部７ｂ）を示す部分拡大図である。
【図７】パネルのシャーシへの固定態様を示す斜視図である。
【図８】実施の形態１に係る電子機器の具体的な態様を示す斜視図である。
【図９】図８の電子機器におけるパネル位置決め構造を示す斜視図である。
【図１０】図８の電子機器におけるパネル組み付け後のパネル位置決め構造を示す斜視図である。
【図１１】図１０のパネル位置決め構造（延設部６ａ、位置決め部６ｂ）を示す部分拡大図である。
【図１２】図１０のパネル位置決め構造（延設部７ａ、位置決め部７ｂ）を示す部分拡大図である。
【発明を実施するための形態】
【００１１】
以下、この発明をより詳細に説明するため、この発明を実施するための形態について、添付の図面に従って説明する。
実施の形態１．
図１は、この発明に係るパネル位置決め構造を備える電子機器を示す斜視図である。図１に示す電子機器１は、カバー２および天面をカバー２で覆われた箱状のシャーシ３からなる本体部、およびシャーシ３の前面に設けられたパネル４を備える。
従来では、電子機器１のような電子機器を実現するため、図２に示すように、フロントシャーシ４ｂを介してパネル４をシャーシ３の前面に組み付けていた。
なお、パネル４内にはパネル基板４ａが取り付けられ、シャーシ３内には基板５が取り付けられている。基板５とパネル基板４ａの間は、フロントシャーシ４ｂの開口を介して基板間接続コネクタ５ａ，５ｂにより電気的に接続される。
【００１２】
また、従来の電子機器では、図３（ａ）に示すように、パネル４が一面が開口した略箱形状に形成されている。パネル４は、図３（ｂ）の断面図で示すように、その開口にフロントシャーシ４ｂを嵌め込むことにより組み付けられる。
一方、複数の部材を組み付ける構造体は、一般的に製造上の寸法ばらつきを考慮して、組み付け後の各部材の間にクリアランスを設定する必要がある。
従って、従来の電子機器においても、パネル４の内形とフロントシャーシ４ｂの外形との間にクリアランスが設けられる。このため、パネル４内でフロントシャーシ４ｂおよびこれが組み付けられたシャーシ３がクリアランスの分だけ動いてしまう。
さらに、パネル４とフロントシャーシ４ｂとは、一般的に金属と樹脂などの異種材料で形成されるので、パネル４とフロントシャーシ４ｂの熱収縮差は大きい。このため、位置決め精度の向上に限界があり、また熱収縮の影響で破損する可能性もある。
【００１３】
そこで、この発明は、図４に示すように、別部材のフロントシャーシ４ｂを使用せず、シャーシ３側の延設部６ａ，７ａおよびパネル４側の位置決め部６ｂ，７ｂからなるパネル位置決め構造を設けて、パネル４をシャーシ３に直接組み付ける。
これにより、組み付け後のシャーシ３とパネル４の間にクリアランスを設けてもパネル４の動きが防止され、位置決め精度を向上させることができる。以下、この発明に係るパネル位置決め構造の詳細を説明する。
【００１４】
延設部（第１の延設部）６ａは、図５に示すように、シャーシ３の開口したパネル組み付け面に直交するシャーシ側面を部分的に延設してなる板状部である。
組み付け時に延設部６ａに当接することでシャーシ３に対してパネル４を位置決めする位置決め部６ｂは、図５に示すように、当たり面部６ｂ−１および内壁部６ｂ−２と、当たり面部６ｂ−３，６ｂ−４とを備える。
【００１５】
当たり面部６ｂ−１および内壁部６ｂ−２は、パネル４の裏面に設けられ、延設部６ａをその厚み方向に挟み込んで保持することで、延設部６ａに垂直な方向の位置決めを行う第１の位置決め部である。
すなわち、当たり面部６ｂ−１および内壁部６ｂ−２は、延設部６ａの厚み方向の寸法に相当する間隔でパネル４の裏面側に形成されており、パネル４のシャーシ３への組み付けによって、延設部６ａの厚み方向の両側から当該延設部６ａに当接する。これにより、延設部６ａに垂直な方向（左右方向）のパネル４の動きが規制されて位置決めされる。
【００１６】
また、当たり面部６ｂ−３，６ｂ−４は、パネル４の裏面に設けられ、延設部６ａをその厚み方向に垂直な方向に挟み込んで保持することにより、延設部６ａに平行な方向（上下方向）にパネル４の位置決めを行う第２の位置決め部である。
すなわち、当たり面部６ｂ−３，６ｂ−４は、延設部６ａの厚み方向に垂直な方向の寸法（高さ）に相当する間隔でパネル４の裏面側に形成されており、パネル４のシャーシ３への組み付けによって、延設部６ａの厚み方向に垂直な方向の両側から当該延設部６ａに当接する。これにより、延設部６ａに平行な方向（上下方向）のパネル４の動きが規制されて位置決めされる。
【００１７】
延設部（第２の延設部）７ａは、図６に示すように、シャーシ３の開口したパネル組み付け面に直交する、延設部６ａを設けた側面に対向する側面を延設してなる板状部である。また、組み付け時に延設部７ａに当たってシャーシ３に対してパネル４を位置決めする位置決め部７ｂは、図６に示すように当たり面部７ｂ−１，７ｂ−２を備える。
【００１８】
当たり面部７ｂ−１，７ｂ−２は、パネル４の裏面に設けられ、延設部７ａをその厚み方向に垂直な方向に挟み込んで保持することで、延設部６ａに平行な方向にパネル４の位置決めを行う第３の位置決め部である。
すなわち、当たり面部７ｂ−１，７ｂ−２は、延設部７ａの厚み方向に垂直な方向の寸法（高さ）に相当する間隔でパネル４の裏面側に形成されており、パネル４のシャーシ３への組み付けによって、延設部７ａの厚み方向に垂直な方向の両側から当該延設部７ａに当接する。これにより、延設部７ａに平行な方向（上下方向）のパネル４の動きが規制されて位置決めされる。
【００１９】
なお、例えば金属でシャーシ３を構成した場合、シャーシ３の側面を延設してなる延設部６ａ，７ａは、一般的に面内方向の熱収縮は大きい。このため、当たり面部６ｂ−３，６ｂ−４の間隔および当たり面部７ｂ−１，７ｂ−２の間隔には、延設部６ａ，７ａの面内方向の熱収縮を考慮して、ある程度のクリアランスを設ける必要がある。
【００２０】
この場合、従来では、クリアランスの分だけパネル４内でシャーシ３の左右がそれぞれ上下して回動するが、本発明では、当たり面部６ｂ−１および内壁部６ｂ−２により延設部６ａを厚み方向に挟み込まれて、シャーシ３の動き（回動）が規制され、位置決め精度の向上を図ることができる。
従って、基板間接続コネクタ５ａ，５ｂによる基板５とパネル基板４ａとの間の接続に対する、組み付け後のシャーシ３およびパネル４のがたつきの影響を格段に低減することができる。
【００２１】
また、一般的に面内方向と比較して延設部６ａの厚み方向の熱収縮は小さいことから、当たり面部６ｂ−１および内壁部６ｂ−２によって延設部６ａの厚み分を挟み込む構成にすることで、さらに精度の高い位置決めを実現できる。
【００２２】
シャーシ３とパネル４をねじ止めにより固定する場合には、図７に示すように、延設部６ａ，７ａにそれぞれ設けた挿通孔３ａとパネル４の両側面に設けた挿通孔４ｃにねじ８を挿通させてねじ止め固定する。この構成において、位置決め部７ｂには、水平方向にパネル４を位置決めする当たり面部６ｂ−１および内壁部６ｂ−２が形成していないので、位置決め部７ｂ側の挿通孔４ｃの周辺にスリット４ｄを設ける。このスリット４ｄにより、挿通孔４ｃを挿通させたねじ８によるねじ止めで挿通孔４ｃの周辺部（取り付け部材４Ａ）を撓ませられる。つまり、当たり面部６ｂ−１および内壁部６ｂ−２により位置決めしている側とは反対側に可撓性を与えている。
【００２３】
このように構成することで、例えばシャーシ３が膨張してクリアランスが小さくなった場合、膨張に応じて取り付け部材４Ａが撓むことから、当該膨張の影響が吸収され、ねじ止め部への応力集中が回避される。同様に、シャーシ３が収縮してクリアランスが大きくなった場合であっても、収縮に応じて取り付け部材４Ａが撓むことから、当該収縮の影響が吸収される。
【００２４】
次に、実施の形態１に係る電子機器の具体的な態様を説明する。
図８は、実施の形態１に係る電子機器の具体的な態様を示す斜視図であり、図８（ａ）は前方図、図８（ｂ）は後方図である。図８の例は、ディスクに記録された音楽データを再生する車載用の音響装置に本発明を適用した場合を示している。
すなわち、図８に示す音響装置１は、図９および図１０に示すように、シャーシ３側の延設部６ａ，７ａおよびパネル４側の位置決め部６ｂ，７ｂからなるパネル位置決め構造を有しており、シャーシ３にパネル４が直接組み付けられる。
【００２５】
図８の音響装置１における延設部６ａは、図１１（ａ）に示すようにシャーシ３の開口したパネル組み付け面に直交するシャーシ側面を部分的に延設し、その端部を折り曲げた構成となっている。このように端部を折り曲げた延設部６ａであっても、当たり面部６ｂ−１および内壁部６ｂ−２によって厚み方向に挟み込んで保持することで、延設部６ａに垂直な方向に位置決めすることができる。また、この延設部６ａについても、図１１（ａ）及び図１１（ｂ）に示すように、当たり面部６ｂ−３，６ｂ−４によって厚み方向に垂直な方向（上下方向）に挟み込まれ、延設部６ａに平行な方向（上下方向）に位置決めされる。
【００２６】
図８の音響装置１における延設部７ａも、図１２（ａ）に示すようにシャーシ３の開口したパネル組み付け面に直交する側面（延設部６ａを設けた側面に対向する側面）を延設し、その端部を折り曲げた構成となっている。このような延設部７ａについても、図１２（ａ）に示すように、当たり面部７ｂ−１，７ｂ−２によって厚み方向に垂直な方向（上下方向）に挟み込まれ、延設部７ａに平行な方向（上下方向）に位置決めされる。
【００２７】
また、図８の音響装置１においても、図１２（ｂ）に示すように、延設部６ａ，７ａにそれぞれ設けた挿通孔３ａとパネル４の両側面に設けた挿通孔４ｃにねじ８を挿通させてねじ止め固定している。図１２（ｂ）の場合では、取り付け部材４Ａとその周辺にスリット４ｄ−１〜４ｄ−３を形成している。これらのスリット４ｄ−１〜４ｄ−３によって、挿通孔４ｃを挿通させたねじ８によるねじ止めで取り付け部材４Ａを撓ませられる。これにより、シャーシ３およびパネル４の熱膨張または熱収縮した場合でも、その影響を緩和することができる。
【００２８】
以上のように、この実施の形態１によれば、シャーシ３の一側面に直交する側面を延設してなる延設部６ａと、シャーシ３の一側面に直交し、延設部６ａを設けた側面に対向する側面を延設してなる延設部７ａと、パネル４に設けられ、延設部６ａをその厚み方向に挟み込んで位置決めする当たり面部６ｂ−１および内壁部６ｂ−２と、パネル４に設けられ、延設部６ａをその厚み方向に垂直な方向に挟み込んで位置決めする当たり面部６ｂ−３，６ｂ−４と、パネル４に設けられ、延設部７ａをその厚み方向に垂直な方向に挟み込んで位置決めする当たり面部７ｂ−１，７ｂ−２とを備える。
このように構成することで、シャーシ３とパネル４の寸法にクリアランスを設けても、当たり面部６ｂ−３，６ｂ−４および当たり面部７ｂ−１，７ｂ−２によりパネル４の垂直方向の動きが規制され、当たり面部６ｂ−１および内壁部６ｂ−２によりパネル４の水平方向の動きが規制されるため、簡易な構成でパネル４の位置決め精度を向上させることができる。
【００２９】
また、この実施の形態１によれば、パネル４に設けられ、延設部７ａを当該パネル４にねじ止めするねじ８を挿通する挿通孔４ｃが形成された取り付け部材４Ａと、取り付け部材４Ａに形成され、挿通孔４ｃを挿通させたねじ８によるねじ止めで取り付け部材４Ａを撓ませるスリット４ｄとを備えるので、シャーシ３およびパネル４の熱膨張または熱収縮による影響を緩和することができる。
【００３０】
さらに、この実施の形態１によれば、電子機器１が上述のパネル位置決め構造を備えるので、上記と同様の効果が得られる電子機器を提供することができる。
【００３１】
なお、本発明はその発明の範囲内において、実施の形態の任意の構成要素の変形、もしくは実施の形態の任意の構成要素の省略が可能である。
【産業上の利用可能性】
【００３２】
この発明に係るパネル位置決め構造は、簡易な構成でパネルの位置決め精度を向上させることができるので、
【符号の説明】
【００３３】
１  電子機器、２  カバー、３  シャーシ、３ａ，４ｃ  挿通孔、４  パネル、４ａ  パネル基板、４ｂ  フロントシャーシ、４ｄ，４ｄ−１〜４ｄ−３  スリット、４Ａ  取り付け部材、５  基板、５ａ，５ｂ  基板間接続コネクタ、６ａ，７ａ  延設部、６ｂ，７ｂ  位置決め部、６ｂ−１，６ｂ−３，６ｂ−４，７ｂ−１，７ｂ−２  当たり面部、６ｂ−２  内壁部、８  ねじ。
【図１】
0005449631.tif 000002
【図２】
0005449631.tif 000003
【図３】
0005449631.tif 000004
【図４】
0005449631.tif 000005
【図５】
0005449631.tif 000006
【図６】
0005449631.tif 000007
【図７】
0005449631.tif 000008
【図８】
0005449631.tif 000009
【図９】
0005449631.tif 000010
【図１０】
0005449631.tif 000011
【図１１】
0005449631.tif 000012
【図１２】
0005449631.tif 000013